(57)【要約】【課題】バランスの取付位置を前後方向に容易に調整し得るバランスブラケットを提供する。【解決手段】ヘッドボックス１上縁に掛止め可能とした掛止部１０を備えた第一の部材７と、バランス６に取着されるとともに第一の部材に対し前後方向に移動可能に支持される第二の部材８と、第一の部材に回動可能に支持されたレバー１３と、レバーの回動操作により、第一及び第二の部材をヘッドボックスに固定する固定装置２０，２１とを備えた。【選択図】図３
2010255385.tif 000002
【特許請求の範囲】
【請求項１】
ヘッドボックス上縁に掛止め可能とした掛止部を備えた第一の部材と、
バランスに取着されるとともに、前記第一の部材に対し前後方向に移動可能に支持される第二の部材と、
前記第一の部材に回動可能に支持されたレバーと、
前記レバーの回動操作により、前記第一及び第二の部材を前記ヘッドボックスに固定する固定装置と
を備えたことを特徴とするバランスブラケット。
【請求項２】
前記固定装置は、
該レバーの回動操作により前記掛止部と前記第二の部材の下辺との間で前記ヘッドボックスを挟着する挟着手段を備えたことを特徴とする請求項１記載のバランスブラケット。
【請求項３】
前記第一の部材を四角箱状の外部材で構成し、前記外部材にスライド可能に支持される内部材で前記第二の部材を形成したことを特徴とする請求項２記載のバランスブラケット。
【請求項４】
前記挟着手段は、
前記内部材に前後方向に設けた凹条と、
前記レバーに設けられ、前記凹条に係合して前記レバーの回動操作により前記内部材の下辺を前記掛止部に向かって移動させる駆動片と
を備えたことを特徴とする請求項３記載のバランスブラケット。
【請求項５】
前記下辺には、前記ヘッドボックスのリブに係合する係止溝を前後方向に多数設けたことを特徴とする請求項４記載のバランスブラケット。
【請求項６】
前記外部材には、前記ヘッドボックスを挟着する位置で前記レバーを保持する保持手段を備えたことを特徴とする請求項３乃至５のいずれか１項に記載のバランスブラケット。
【発明の詳細な説明】
【技術分野】
【０００１】
この発明は、ブラインド等のヘッドボックスを覆って室内の美観を向上させるバランスをヘッドボックスに取着するバランスブラケットに関するものである。
【背景技術】
【０００２】
横型ブラインド、縦型ブラインド、プリーツカーテンやたくし上げカーテン等では、ヘッドボックスを覆って美観を向上させるバランスを備えたものがある。また、ロールブラインドではフレーム部を覆って美観を向上させるバランスを備えたものや、カーテンではカーテンレール部を覆って美観を向上させるバランスを備えたものがある。
【０００３】
バランスは、ヘッドボックスやフレーム部あるいはカーテンレールに取着したり、天井面等に取着される場合がある。
このようなバランスは、バランスブラケットを介してヘッドボックスに取着される（特許文献１，２参照）。
【先行技術文献】
【特許文献】
【０００４】
【特許文献１】特許３１４５２８２号
【特許文献２】特開２００８−２７４６７３号
【発明の概要】
【発明が解決しようとする課題】
【０００５】
バランスは、例えばその前面が窓枠の前面と揃うようにする等、前後方向において所定位置に設置すると美観上好ましい。
しかし、バランスブラケットはバランスの取付位置を前後方向に調整する機能を備えていないので、バランスの取付位置を前後方向に調整するためには、ヘッドボックスの取付位置を前後方向に調整する必要がある。
【０００６】
従って、バランスの取付位置を前後方向に調整するための作業が煩雑となるという問題点がある。
この発明の目的は、バランスの取付位置を前後方向に容易に調整し得るバランスブラケットを提供することにある。
【課題を解決するための手段】
【０００７】
請求項１では、ヘッドボックス上縁に掛止め可能とした掛止部を備えた第一の部材と、バランスに取着されるとともに、前記第一の部材に対し前後方向に移動可能に支持される第二の部材と、前記第一の部材に回動可能に支持されたレバーと、前記レバーの回動操作により、前記第一及び第二の部材を前記ヘッドボックスに固定する固定装置とを備えた。
【０００８】
請求項２では、前記固定装置は、該レバーの回動操作により前記掛止部と前記第二の部材の下辺との間で前記ヘッドボックスを挟着する挟着手段を備えた。
請求項３では、前記第一の部材を四角箱状の外部材で構成し、前記外部材にスライド可能に支持される内部材で前記第二の部材を形成した。
【０００９】
請求項４では、前記挟着手段は、前記内部材に前後方向に設けた凹条と、前記レバーに設けられ、前記凹条に係合して前記レバーの回動操作により前記内部材の下辺を前記掛止部に向かって移動させる駆動片とを備えた。
【００１０】
請求項５では、前記下辺には、前記ヘッドボックスのリブに係合する係止溝を前後方向に多数設けた。
請求項６では、前記外部材には、前記ヘッドボックスを挟着する位置で前記レバーを保持する保持手段を備えた。
【発明の効果】
【００１１】
本発明によれば、バランスの取付位置を前後方向に容易に調整し得るバランスブラケットを提供することができる。
【図面の簡単な説明】
【００１２】
【図１】一実施形態のバランスブラケットを示す斜視図である。
【図２】バランスブラケット示す分解斜視図である。
【図３】バランスブラケットの動作を示す断面図である。
【図４】バランスブラケットの動作を示す断面図である。
【図５】バランスブラケットの動作を示す断面図である。
【図６】バランスブラケットの動作を示す断面図である。
【発明を実施するための形態】
【００１３】
以下、この発明を具体化した一実施形態のバランスブラケットを図面に従って説明する。図３に示す横型ブラインドは、ヘッドボックス１が取付ブラケット２を介して取付面に固定され、そのヘッドボックス１からラダーコード３を介して多数段の板状のスラット４が吊下支持されている。
【００１４】
そして、ヘッドボックス１内に配設されるスラット駆動装置（図示しない）を操作することにより、ラダーコード３を介して各スラット４を角度調節可能であるとともに、昇降コード２３を昇降して各スラット４を昇降可能となっている。
【００１５】
前記ヘッドボックス１の前方すなわち室内側にはバランスブラケット５を介してバランス６が支持されている。前記バランス６は、その長手方向複数個所に取着されるバランスブラケット５を介してヘッドボックス１に取着される。
【００１６】
次に、前記バランスブラケット５の具体的構成を説明する。バランスブラケット５は合成樹脂で形成され、図２に示すように、一方を開口した縦長の四角箱状の外部材（第一の部材）７と、その外部材７の内側にスライド可能に嵌挿される四角箱状の内部材（第二の部材）８とで構成される。外部材７と内部材８は合成樹脂で形成される。
【００１７】
図３に示すように、前記内部材８の基端面はビス９でバランス６の裏面に固定される。前記外部材７の上辺の先端部には、前記ヘッドボックス１の上部開口縁に係合可能とした掛止部１０が形成され、前記内部材８の下辺１２の先端部には、前記ヘッドボックス１の下辺に設けられたリブ１１に係合する多数の係止溝１２ａが平行に形成されている。
【００１８】
前記外部材７の下端部基端側には、レバー１３が回動可能に支持されている。前記レバー１３は金属板を折り曲げて形成され、操作片１４の両側が直角に折り曲げられて一対の支持片１５（図１参照）が形成されている。
【００１９】
そして、前記支持片１５の基端側外側面に支軸１６が突出され、その支軸１６が外部材７の下端部基端側に設けられた支持孔１７に内側から嵌合されて、回動可能に支持されている。
【００２０】
前記操作片１４の中央部には係止孔（保持手段）１８が形成され、図１に示すように、操作片１４を上方へ回動させたとき、前記外部材７の基端側中央部において、前記内部材８の下辺１２に設けられた透孔２２を経て下方へ突出される係止片（保持手段）１９の下端部に係合するようになっている。前記係止片１９の下端部は、断面楔状に形成され、操作片１４を上方へ回動させたとき、操作片１４の係止孔１８に係合して、操作片１４を水平方向に保持するようになっている。
【００２１】
また、係止片１９が係止孔１８に係合している状態から、係止片１９の下端をヘッドボックス１側に押すと、係止片１９と係止孔１８との係合が解除され、レバー１３を下方へ回動可能となっている。
【００２２】
前記レバー１３の支持片１５の先端側は、内側へ直角に折り曲げられて一対の駆動片２０が形成されている。そして、レバー１３の回動にともなって、駆動片（固定装置、挟着手段）２０が支軸１６を中心に回動されるようになっている。
【００２３】
前記内部材８の下部中央には、前記駆動片２０が係合する凹条（固定装置、挟着手段）２１が前後方向に形成されている。そして、レバー１３が上方へ回動されると、駆動片２０を介して内部材８が上方へ押し上げられ、レバー１３が下方へ回動されると、内部材８が下降するようになっている。
【００２４】
また、レバー１３の操作片１４が水平方向となるとき、図４に示すように、ヘッドボックス１の上縁とリブ１１が外部材７の掛止部１０と内部材８の係止溝１２ａとの間に挟み込まれるようになっている。
【００２５】
次に、上記のようなバランスブラケット５の作用を説明する。
バランス６をヘッドボックス１に取り付けるには、まず外部材７に内部材８を挿入し、レバー１３を外部材７に取着してバランスブラケット５を組み立てる。そして、図３に示すように、内部材８をビス９でバランス６の裏面に固定する。このとき、内部材８の裏面に設けられた三角形状の突起２４をバランス６の裏面に設けられた凹条２５に係合させることにより、バランス６に対する内部材８の上下方向の取付位置を容易に位置決めすることができる。
【００２６】
次いで、外部材７の掛止部１０をヘッドボックス１の上縁に掛止めし、この状態でレバー１３を上方へ回動させると、内部材８が上方へ押し上げられる。そして、レバー１３を水平方向まで回動させて、係止孔１８を係止片１９に係合させると、図４に示すように、レバー１３はその状態に保持され、外部材７の掛止部１０と内部材８の下辺１２の係止溝１２ａとの間でヘッドボックス１が挟み込まれる。
【００２７】
すると、バランス６がバランスブラケット５を介してヘッドボックス１に保持される状態となる。
図５及び図６は、外部材７から内部材８を引き出した状態でレバー１３を回動させた場合を示す。バランス６を前方へ移動させるために内部材８を外部材７から引き出し、所望位置まで引き出した状態でレバー１３を上方へ回動させる。
【００２８】
すると、上記と同様に内部材８が上方へ押し上げられ、レバー１３の係止孔１８を係止片１９に係合させるとレバー１３が水平方向に保持され、外部材７の掛止部１０と内部材８の下辺１２との間にヘッドボックス１が挟み込まれて、バランス６がバランスブラケット５を介してヘッドボックス１に保持される状態となる。
【００２９】
なお、内部材８の外側面の先端縁に断面三角形状の突起２６が形成され、この突起２６が外部材７の内側面に係合して、内部材８が外部材７から完全に引き出されないようになっている。
【００３０】
上記のように構成されたバランスブラケット５では、次に示す作用効果を得ることができる。
（１）レバー１３の回動操作により、工具を必要とすることなくバランス６をヘッドボックス１に対し着脱することができる。
（２）内部材８を外部材７に対しスライドさせることにより、バランス６の取付位置を前後方向に調整することができる。特に、複数のブラインドを連装する場合に、ヘッドボックス１の取付位置が前後方向に不揃いとなっても、バランスの取付位置を前後方向に容易に揃えることができる。
（３）レバー１３を上方へ回動させることにより、外部材７の掛止部１０と内部材８の下辺１２とでヘッドボックス１を挟み込んで、バランスブラケット５をヘッドボックス１に固定することができる。
（４）下辺１２に設けた多数の係止溝１２ａにより、内部材８を外部材７に対しスライドさせても、いずれかの係止溝１２ａでヘッドボックス１のリブ１１を係止することができる。そして、係止溝１２ａでリブ１１を確実に固定して、ヘッドボックス１を固定することができる。
（５）外部材７の係止片１９にレバー１３の係止孔１８を係合させることによりレバー１３を水平方向すなわちバランスブラケット５をヘッドボックス１に固定する状態に保持することができる。
（６）外部材７の掛止部１０と内部材８の下辺１２とで、バランスブラケット５をヘッドボックス１の長手方向の任意位置に固定することができる。
【００３１】
上記実施形態は、以下の態様で実施してもよい。
・外部材をヘッドボックスにあらかじめ固定し、内部材は外部材に対し前後方向に位置調節した状態で外部材に固定する構成としてもよい。
【符号の説明】
【００３２】
１…ヘッドボックス、５…バランスブラケット、６…バランス、７…第一の部材（外部材）、８…第二の部材（第二の部材）、１０…掛止部、１３…レバー、１８…保持手段（係止孔）、１９…保持手段（係止片）、２０…固定装置、挟着手段（駆動片）、２１…固定装置、挟着手段（凹条）。
【図１】
2010255385.tif 000003
【図２】
2010255385.tif 000004
【図３】
2010255385.tif 000005
【図４】
2010255385.tif 000006
【図５】
2010255385.tif 000007
【図６】
2010255385.tif 000008